(57)【要約】【目的】クリーンルーム内で作業する作業者にとって、クリーンルーム内はストレスのかかる職場である。つまり、入るのに時間がかかり、一度入ると決まった時刻以外には出にくく、また、常に汚染物を持ち込まないように気を配り、作業中に発生した汚染物はその汚染が広がるのを防止するように気をつけなくてはならない。このような精神的に拘束された職場においては、消毒液の噴霧により消毒されてパスボックスを通過した物品から臭う消毒液臭であっても、クリーンルーム内の作業者にとっては、極めて不快な臭いであり、作業者に強いストレスをあたえてしまう。【構成】本発明は、クリーンルーム内の作業エリアに物品を消毒して搬入するためのクリーンルーム用物品受け渡し装置において、エアシャワー後に消毒液を噴霧することを特徴とする。【選択図】    図２
2004275464.tif 000002
【特許請求の範囲】
【請求項１】
クリーンルーム内の作業エリアに物品を消毒して搬入するためのクリーンルーム用物品受け渡し装置において、
エアシャワー後に消毒液を噴霧することを特徴とするクリーンルーム用物品受け渡し装置。
【請求項２】
作業者が作業するクリーンルーム内の作業エリアに前記作業者が取り扱う物品を消毒して搬入するためのクリーンルーム用物品受け渡し装置において、
消毒液を噴霧して、前記物品を消毒した後に、このクリーンルーム用物品受け渡し装置内の空気を外部に排気して、このクリーンルーム用物品受け渡し装置内に前記クリーンルーム内の空気が流入することを特徴とするクリーンルーム用物品受け渡し装置。
【請求項３】
作業者が作業するクリーンルーム内の作業エリアに前記作業者が取り扱う物品を消毒して搬入するためのクリーンルーム用物品受け渡し装置において、
エアシャワー後に消毒液を噴霧して、前記物品を消毒した後に、このクリーンルーム用物品受け渡し装置内の空気を外部に排気して、このクリーンルーム用物品受け渡し装置内に前記クリーンルーム内の空気が流入することを特徴とするクリーンルーム用物品受け渡し装置。
【発明の詳細な説明】
【０００１】
【発明の属する技術分野】
本発明は、クリーンルームの作業エリアに物品を消毒して搬入するためクリーンルーム用物品受け渡し装置（所謂パスボックス）に関する。
【０００２】
【従来の技術】
医療施設等で清浄な環境で調剤作業を行う場合に、クルーンルームが利用される。作業者は、このクリーンルーム内で調剤作業等を行う。このクリーンルームへの作業者の出入りは、エアシャワー室を介して行い、物品の出入りはパスボックスを介して行うのが一般的である（例えば特許文献１〜４参照）。
【０００３】
このエアシャワー室及びパスボックスは、クリーンルーム内に雑菌及び汚染物が浸入するのを抑えるために設けられている。
【０００４】
エアシャワー室は、人間の出入りのために設けられており、作業者がクリーンルーム内に入るときにエアシャワーで人体に付着したゴミやホコリを吹き飛ばし、クリーンルーム内への汚染物の侵入を抑える。
【０００５】
パスボックス（物品受け渡し装置）は、クリーンルーム内で使用する物品等を搬入する時に雑菌等が一緒に浸入するのを抑えるものであり、消毒液で洗浄するタイプ、消毒液を噴霧するタイプ、紫外線で殺菌するタイプ、オゾンガスで殺菌するタイプ等が提案されている。このうち、消毒液による処理が一般的である。消毒液を噴霧する消毒方法であれば、パスボックスを通過した物品にから臭う消毒液臭もあまり強いものではなく、問題の無いレベルであると考えられていた。
【０００６】
【特許文献１】
特開２０００−２５４２１２号公報
【特許文献２】
特開平１１−６３６０５号公報
【特許文献３】
特開平１０−１３２３４６号公報
【特許文献４】
特開２００２−２９１８５０号公報
【特許文献５】
特開２００１−３１５７２１号公報
【０００７】
【発明が解決しようとする課題】
ところで、クリーンルーム内で作業する作業者にとって、クリーンルーム内はストレスのかかる職場である。つまり、入るのに時間がかかり、一度入ると決まった時刻以外には出にくく、また、常に汚染物を持ち込まないように気を配り、作業中に発生した汚染物はその汚染が広がるのを防止するように気をつけなくてはならない。
【０００８】
このような精神的に拘束された職場においては、消毒液の噴霧により消毒されてパスボックスを通過した物品から臭う消毒液臭であっても、クリーンルーム内の作業者にとっては、極めて不快な臭いであり、作業者に強いストレスをあたえてしまう。
【０００９】
本発明は、消毒液の量を少なくしても十分に消毒できるクリーンルーム用物品受け渡し装置を提供することを目的とする。
【００１０】
また、本発明は、パスボックスを通過した物品から臭う消毒液臭を抑えることができるクリーンルーム用物品受け渡し装置を提供することを目的とする。
【００１１】
また、本発明は、消毒液の量を少なくし、且つ、パスボックスを通過した物品から臭う消毒液臭を抑えることができるクリーンルーム用物品受け渡し装置を提供することを目的とする。
【００１２】
【課題を解決するための手段】
本発明は、クリーンルーム内の作業エリアに物品を消毒して搬入するためのクリーンルーム用物品受け渡し装置において、エアシャワー後に消毒液を噴霧することを特徴とする。
【００１３】
また、本発明は、作業者が作業するクリーンルーム内の作業エリアに前記作業者が取り扱う物品を消毒して搬入するためのクリーンルーム用物品受け渡し装置において、消毒液を噴霧して、前記物品を消毒した後に、このクリーンルーム用物品受け渡し装置内の空気を外部に排気して、このクリーンルーム用物品受け渡し装置内に前記クリーンルーム内の空気が流入することを特徴とする。
【００１４】
また、本発明は、作業者が作業するクリーンルーム内の作業エリアに前記作業者が取り扱う物品を消毒して搬入するためのクリーンルーム用物品受け渡し装置において、エアシャワー後に消毒液を噴霧して、前記物品を消毒した後に、このクリーンルーム用物品受け渡し装置内の空気を外部に排気して、このクリーンルーム用物品受け渡し装置内に前記クリーンルーム内の空気が流入することを特徴とする。
【００１５】
【発明の実施の形態】
本発明のクリーンルーム用物品受け渡し装置を第１実施形態に基づいてに説明する。
【００１６】
図１〜図６は、第１実施形態を説明するための図であり、図１は、クリーンルームの間取り図、図２は本願のパスボックスの上面図、図３は一部を透過した正面からの図、図４は図３のＡの位置からパスボックス内部を見た図である。
図５は外部側の操作盤の図であり、図６はクリーンルーム側操作盤の図である。
【００１７】
図１はクリーンルームの間取り図である。図において、Ｂは作業エリア（無菌エリア、クリーンエリア）であり、外部に比べて、気圧を高く設定されている。これにより、外部から汚染された空気がクリーンルーム内に浸入するのを防止している。
【００１８】
Ｃは、作業者が着替えるための前室である。
【００１９】
Ｄは、作業者がクリーンルームの作業エリアＢ内に入る前に人体に付着したゴミやホコリを吹き飛ばし、クリーンルーム内への汚染物の侵入を防ぐエアシャワー室である。
【００２０】
Ｅ、Ｅ、Ｆは、パスボックスである。Ｅ、Ｅは３段パスボックスであり、ＵＶ殺菌の搬入専用段、搬出専用段、ゴミだし専用段等からなる。
【００２１】
Ｆは、本願のパスボックスである。このパスボックスＦは、カート搬入搬出可能なパスボックスである。１は外側に開くフレンチドアである。２はクリーンルーム側に開くフレンチドアである。
【００２２】
図２は、このパスボックスＦの上面からの図である。１は外側に開くフレンチドアである。２はクリーンルーム側に開くフレンチドアである。
【００２３】
３はパスボックスＦの通過エリアである。４は噴霧・排気ユニットエリアである。５はエアシャワーユニットエリアである。６はクリーンルーム側操作盤であり、７は外側操作盤である。８，８は消毒液噴霧用ノズルである。９は排気フランジである。
【００２４】
図３において、１は外側に開くフレンチドアである。４は排気ユニットエリアである。５はエアシャワーユニットエリアである。８，８は消毒液噴霧用ノズルである。９は排気フランジである。
【００２５】
エアシャワーユニットエリア５において、１０はエアシャワー用ＨＥＰＡフィルタである。１１は、ジェットエアファンである。１２はプレフィルタである。このファン１１を駆動することにより、パスボックス内にジェットエアが噴出され、このエアはプレフィルタ１２及びＨＥＰＡフイルタ３により浄化され再びパスボックス内に噴出される。これにより、パスボックス内の物品の清浄をある程度行える。２０はエアジェットノズルである。
【００２６】
噴霧・排気ユニットエリア４において、１３は台、１４はアルコール液タンクであり、このアルコール液が図示省略したポンプによりミスト状になりパスボックス内にノズル８，８から噴霧される。１５は排気用ＨＥＰＡフィルタである。１６は排気ファンである。ファン１６を駆動することにより、パスボックス内の空気はＨＥＰＡフイルタ１５を介して外部に排出される。これにより、パスボックス内にはクリーンルーム側から空気が流れ込み換気を行うことが出来る。
【００２７】
１７はドア１のロック機構であり、ドア１をロックして、エアシャワー中、噴霧中、排気中にドア１及びドア２の開放を禁止するためのものである。
【００２８】
図４は、このパスボックスＦの内側の図である。１は外側に開くフレンチドアである。２はクリーンルーム側に開くフレンチドアである。６はクリーンルーム側操作盤であり、７は外側操作盤である。１２はプレフィルタである。１７、１７はドア１、２のロック機構であり、ドア１、２をロックして、エアシャワー中、噴霧中、排気中にドア１及びドア２の開放を禁止するためのものである。１８は蛍光灯である。２０はエアジェットノズルである。２１は緊急停止・扉ロック解除ボタンである。
【００２９】
図５は外側操作盤７の図であり、図６はクリーンルーム側の操作盤６の図である。
【００３０】
図を参照しつつ、このパスボックスの利用方法を説明する。
【００３１】
まず、外部作業者は、クリーンルーム内で作業者が使用する物品をカートに載せ、パスボックスＦ前まで押して行く。
【００３２】
次に、外部作業者は、ドア１を開けて、カートをパスボックス内に移動せしめる。ドア１を閉める。操作盤７の起動スイッチを押す。これにより、ロック機構１７，１７がドア１，２をロックする。そして、ファン１１を駆動してエアシャワーをカートに浴びせる。これにより、カート及びカートに載せられた物品のホコリ等が除去できる。この実施形態では４０秒ほど行い終了する。
【００３３】
次に、図示しないポンプにより、アルコール液の噴霧を行う。これにより、３００ｃｃほどの消毒液（アルコール液）を３分間ほどパスボックス内に噴霧して消毒を行う。
【００３４】
その後、消毒液による消毒がすすむように３分間ほど放置する。
【００３５】
そして、ファン１６を駆動して、このパスボックス内のアルコールを外部に強制排気する。１０秒ほどで、パスボックス内の霧状物は外部に排気され、クリーンルーム側から清浄な空気が流入する。
【００３６】
物品に付着した霧状のアルコールの蒸発・排気のために、この排気は１分間ほど行われる。ファン１６の停止後に、操作盤６において、完了ブザーが短く鳴ると共に、完了ランプが点灯しこの点灯は継続される。
【００３７】
クリーンルーム内の作業者は、消毒が完了したことを知り、操作盤６のリセットスイッチを押す。これにより、ドアのロックが外れる。そして、ドア２を開けて、カートをクリーンルーム内の作業エリアにいれる。
【００３８】
クリーンルーム内からカート等を出す場合は、ドア２を開けて、カートをパスボックス内に入れ、操作盤の出庫スイッチを押すと、外側の操作盤７において、完了ブザーが短く鳴ると共に、完了ランプが点灯しこの点灯は継続される。
【００３９】
外部の作業者は、消毒が完了したことを知り、操作盤７のリセットスイッチを押す。そして、ドア１を開けて、カートを搬出する。
【００４０】
【発明の効果】
本発明は、消毒液噴霧の前にエアシャワーを行うので、ホコリ等を除去でき少ない消毒液でも十分な消毒ができる。
【００４１】
本発明では、パスボックスにおいても強制排気をしているので、物品からの消毒液臭による作業者のストレスを軽減することができる。
【図面の簡単な説明】
【図１】この発明の一実施形態のクリーンルームの間取り図である。
【図２】このパスボックスの上面図である。
【図３】このパスボックスの一部を透過した正面からの図である。
【図４】図３のＡの位置からパスボックス内部を見た図である。
【図５】外部側の操作盤の図である。
【図６】クリーンルーム側操作盤の図である。
【符号の説明】
Ｆ  パスボックス。
【図１】
2004275464.tif 000003
【図２】
2004275464.tif 000004
【図３】
2004275464.tif 000005
【図４】
2004275464.tif 000006
【図５】
2004275464.tif 000007
【図６】
2004275464.tif 000008